(57)【要約】【課題】冷凍ケースや冷蔵ケースにおいて、商品を立設した状態で陳列することにより商品を識別しやすくできる商品陳列具を提供するとともに、特に、商品が立設した状態を維持でき、特に、冷凍ケースにおいても商品が立設した状態を維持できる商品陳列具を提供する。【解決手段】商品陳列具Ａ１は、商品支え部１０と、掛止部２０、３０とを有していて、この商品支え部１０は、略コ字状に形成されている。また、掛止部２０は、外側湾曲部２２と内側湾曲部２４とを有していて、全体に略円弧状に形成され、また、掛止部３０も、外側湾曲部３２と内側湾曲部３４とを有していて、全体に略円弧状に形成されている。この商品陳列具Ａ１は、左右対称に形成されている。【選択図】        図１
2004290401.tif 000002
【特許請求の範囲】
【請求項１】
商品を立て掛けた状態で支持するための商品陳列具であって、
商品を立設して立て掛けた状態で支持するための商品支え部と、
該商品支え部の端部に設けられた第１掛止部で、棒状の被掛止部材に掛止可能となっている第１掛止部と、
該商品支え部の端部に設けられた第２掛止部で、棒状の被掛止部材に掛止可能となっている第２掛止部と、
を有することを特徴とする商品陳列具。
【請求項２】
商品を立て掛けた状態で支持するための商品陳列具であって、
１本の棒状部材を折曲又は湾曲させることにより形成可能な形状を有する商品支え部と、
該商品支え部の一対の端部における一方の端部から連設された第１掛止部で、棒状の被掛止部材に掛止可能となっている第１掛止部と、
該商品支え部の該一対の端部における他方の端部から連設された第２掛止部で、棒状の被掛止部材に掛止可能となっている第２掛止部と、
を有することを特徴とする商品陳列具。
【請求項３】
商品を立て掛けた状態で支持するための商品陳列具であって、
１本の棒状部材を折曲又は湾曲させることにより形成可能な形状を有する商品支え部と、
該商品支え部の一対の端部における一方の端部から連設され、１本の棒状部材を折曲又は湾曲させることにより形成可能な形状を有する第１掛止部で、棒状の被掛止部材に掛止可能となっている第１掛止部と、
該商品支え部の該一対の端部における他方の端部から連設され、１本の棒状部材を折曲又は湾曲させることにより形成可能な形状を有する第２掛止部で、棒状の被掛止部材に掛止可能となっている第２掛止部と、
を有し、
商品陳列具は１本の棒状部材を折曲又は湾曲させることにより形成可能な形状を有していることを特徴とする商品陳列具。
【請求項４】
上記第１掛止部は同一平面上に形成された形状を有し、側面視において第１掛止部は商品支え部に対して鈍角をなして設けられており、また、上記第２掛止部は同一平面上に形成された形状を有し、側面視において第２掛止部は商品支え部に対して鈍角をなして設けられていることを特徴とする請求項３に記載の商品陳列具。
【請求項５】
上記第１掛止部が、上記商品支え部の該一対の端部における一方の端部から連設された外側湾曲部で、側方の外側に湾曲する外側湾曲部と、該外側湾曲部から連設された内側湾曲部で、側方の内側に湾曲する内側湾曲部とを有し、また、上記第２掛止部が、上記商品支え部の該一対の端部における他方の端部から連設された外側湾曲部で、側方の外側に湾曲する外側湾曲部と、該外側湾曲部から連設された内側湾曲部で、側方の内側に湾曲する内側湾曲部とを有することを特徴とする請求項２又は３又は４に記載の商品陳列具。
【請求項６】
商品を立て掛けた状態で支持するための商品陳列具であって、
１本の棒状部材を折曲又は湾曲させることにより形成可能な形状を有する商品支え部で、横方向に形成された横方向部と、該横方向部の両端から連設され、縦方向に形成された縦方向部とを有する略コ字状を呈し、縦方向の中心線を介して線対称に形成されている商品支え部と、
該商品支え部の該一対の端部における一方の端部から連設され、１本の棒状部材を折曲又は湾曲させることにより形成可能な形状を有する第１掛止部で、該端部から連設された外側湾曲部で、側方の外側に湾曲する外側湾曲部と、該外側湾曲部から連設された内側湾曲部で、側方の内側に湾曲する内側湾曲部とを有し、該外側湾曲部と内側湾曲部とは同一平面上に形成された形状を有し、側面視において第１掛止部は商品支え部に対して鈍角をなして設けられた第１掛止部で、棒状の被掛止部材に掛止可能となっている第１掛止部と、
該商品支え部の該一対の端部における他方の端部から連設され、１本の棒状部材を折曲又は湾曲させることにより形成可能な形状を有する第２掛止部で、該端部から連設された外側湾曲部で、側方の外側に湾曲する外側湾曲部と、該外側湾曲部から連設された内側湾曲部で、側方の内側に湾曲する内側湾曲部とを有し、該外側湾曲部と内側湾曲部とは同一平面上に形成された形状を有し、側面視において第２掛止部は商品支え部に対して鈍角をなして設けられた第２掛止部で、棒状の被掛止部材に掛止可能となっていて、該第１掛止部とは縦方向の中心線を介して対称に形成されている第２掛止部と、
を有し、
商品陳列具は１本の棒状部材を折曲又は湾曲させることにより形成可能な形状を有していることを特徴とする商品陳列具。
【請求項７】
上記各掛止部が、略円弧状又は略Ｕ字状又は略半楕円状又は略放物線状を呈することを特徴とする請求項１又は２又は３又は４又は５又は６に記載の商品陳列具。
【請求項８】
商品を立て掛けた状態で支持するための商品陳列具であって、
１本の棒状部材を折曲又は湾曲させることにより形成可能な形状を有する商品支え部と、
該商品支え部の一対の端部における一方の端部に設けられた第１掛止部で、棒状の被掛止部材に該商品陳列具を取り付けた際に、該被掛止部材に当接する第１脚部と、棒状の被掛止部材に該商品陳列具を取り付けた際に、該被掛止部材に掛止可能となっている第２脚部と、を有する第１掛止部と、
該商品支え部の一対の端部における他方の端部に設けられた第２掛止部で、棒状の被掛止部材に該商品陳列具を取り付けた際に、該被掛止部材に当接する第３脚部と、棒状の被掛止部材に該商品陳列具を取り付けた際に、該被掛止部材に掛止可能となっている第４脚部と、を有する第２掛止部と、
を有することを特徴とする商品陳列具。
【請求項９】
上記第１脚部と上記第２脚部と上記第３脚部と上記第４脚部とは、略Ｌ字状を呈することを特徴とする請求項８に記載の商品陳列具。
【請求項１０】
商品を立て掛けた状態で支持するための商品陳列具であって、
１本の棒状部材を折曲又は湾曲させることにより形成可能な形状を有する商品支え部で、横方向に形成された横方向部と、該横方向部の両端から連設され、縦方向に形成された縦方向部とを有する略コ字状を呈し、縦方向の中心線を介して線対称に形成されている商品支え部と、
該商品支え部の該一対の縦方向部における一方の縦方向部の端部に設けられた第１掛止部で、略Ｌ字状を呈する第１脚部と、略Ｌ字状を呈する第２脚部と、を有する第１掛止部と、
該商品支え部の該一対の縦方向部における他方の縦方向部の端部に設けられた第２掛止部で、略Ｌ字状を呈する第３脚部と、略Ｌ字状を呈する第４脚部と、を有する第２掛止部と、
を有することを特徴とする商品陳列具。
【請求項１１】
第１脚部における先端部分と、第２脚部における先端部分と、第３脚部における先端部分と、第４脚部における先端部分とは、上記縦方向部に対して直角の方向に設けられ、第１脚部における先端部分と第３脚部における先端部分とは互いに対向し、また、第２脚部における先端部分と第４脚部における先端部分とは互いに対向していることを特徴とする請求項８又は９又は１０に記載の商品陳列具。
【請求項１２】
上記第１脚部は、棒状を呈する第１棒状部と、該第１棒状部に直角方向に設けられ、棒状を呈する第２棒状部とで略Ｌ字状に形成され、該第１棒状部と上記一方の縦方向部とは１本の直線状の棒状部材により形成され、また、上記第２脚部は、棒状を呈する第１棒状部と、該第１棒状部に直角方向に設けられ、棒状を呈する第２棒状部とで略Ｌ字状に形成され、該第２脚部における第１棒状部は、該一方の縦方向部又は第１脚部における第１棒状部に固着され、また、上記第３脚部は、棒状を呈する第１棒状部と、該第１棒状部に直角方向に設けられ、棒状を呈する第２棒状部とで略Ｌ字状に形成され、該第１棒状部と上記他方の縦方向部とは１本の直線状の棒状部材により形成され、また、上記第４脚部は、棒状を呈する第１棒状部と、該第１棒状部に直角方向に設けられ、棒状を呈する第２棒状部とで略Ｌ字状に形成され、該第４脚部における第１棒状部は、該他方の縦方向部又は第３脚部における第１棒状部に固着されていることを特徴とする請求項８又は９又は１０又は１１に記載の商品陳列具。
【請求項１３】
上記各掛止部を棒状の被掛止部材に掛止した状態では、該掛止部の一部が被掛止部材の上面に当接し、該掛止部の他の一部が被掛止部材の下面に当接することを特徴とする請求項１又は２又は３又は４又は５又は６又は７又は８又は９又は１０又は１１又は１２に記載の商品陳列具。
【請求項１４】
上記各掛止部を棒状の被掛止部材に掛止し、商品支え部に商品を立て掛けた状態では、該掛止部の一部が被掛止部材の上面に当接し、この被掛止部材の上面に当接した部分が支点となって、該掛止部の他の一部が被掛止部材の下面に押しつけられて当接することを特徴とする請求項１又は２又は３又は４又は５又は６又は７又は８又は９又は１０又は１１又は１２又は１３に記載の商品陳列具。
【請求項１５】
商品陳列具が可撓性のある素材により形成されていることを特徴とする請求項１又は２又は３又は４又は５又は６又は７又は８又は９又は１０又は１１又は１２又は１３又は１４に記載の商品陳列具。
【請求項１６】
上記商品支え部が、縦方向の中心線を介して対称に形成されていることを特徴とする請求項１又は２又は３又は４又は５又は６又は７又は８又は９又は１０又は１１又は１２又は１３又は１４又は１５に記載の商品陳列具。
【発明の詳細な説明】
【０００１】
【発明の属する技術分野】
本発明は、商品陳列具に関するものであり、特に、冷凍ケースや冷蔵ケースに商品を陳列するための商品陳列具に関するものである。
【０００２】
【従来の技術】
従来よりスーパーマーケットやコンビニエンスストアにおける食品コーナー等において、商品を陳列するための冷蔵ケースや冷凍ケースが設けられている。この冷凍ケースや冷蔵ケースには、格子状（又は網目状）の棚が設けられている。そして、この棚に商品を陳列するには、従来では、棚の奥に商品を載置し、該載置された商品の手前に斜めに立て掛けるように商品を配置し、順次手前に商品を立て掛けて配置する。なお、出願人は、先行技術文献の調査は行っておらず、記載すべき先行技術文献は存在しない。
【０００３】
【発明が解決しようとする課題】
しかし、上記のような冷凍ケースや冷蔵ケースにおいて、上記のように商品を陳列する場合には、商品が立ち上がった状態になりにくいので、商品が見にくいという問題があった。つまり、冷凍ケースや冷蔵ケースの手前側から商品を識別しにくいという問題があった。
【０００４】
また、上記のように奥側の商品に立て掛けて配置する場合には、商品に対して奥側に力が掛かるために、商品が奥側にスライドしやすく、これにより、斜めに立て掛けられた商品が倒れてしまい、商品が識別しにくくなってしまう。特に、冷凍ケースの場合には、商品や棚自体の表面に氷が付着しているので、商品が棚に対して滑りやすく、また、商品同士が滑りやすいために、商品が奥側によりスライドしやすくなり、これにより、商品が倒れやすくなってしまう。
【０００５】
そこで、本発明は、冷凍ケースや冷蔵ケースにおいて、商品を立設した状態で陳列することにより商品を識別しやすくできる商品陳列具を提供するとともに、特に、商品が立設した状態を維持でき、特に、冷凍ケースにおいても商品が立設した状態を維持できる商品陳列具を提供することを目的とするものである。
【０００６】
【課題を解決するための手段】
本発明は上記問題点を解決するために創作されたものであって、第１には、商品を立て掛けた状態で支持するための商品陳列具であって、商品を立設して立て掛けた状態で支持するための商品支え部と、該商品支え部の端部に設けられた第１掛止部で、棒状の被掛止部材に掛止可能となっている第１掛止部と、該商品支え部の端部に設けられた第２掛止部で、棒状の被掛止部材に掛止可能となっている第２掛止部と、を有することを特徴とする。
【０００７】
この第１の構成においては、第１掛止部を棒状の被掛止部材に掛止させ、第２掛止部を他の棒状の被掛止部材に掛止させて、該棒状部材の上に商品支え部が立設した状態とする。そして、この商品支え部に商品を立て掛けて商品を支持させる。これにより、商品を立設した状態で陳列することができ、よって、商品を識別しやすくすることができる。
【０００８】
また、第２には、商品を立て掛けた状態で支持するための商品陳列具であって、１本の棒状部材を折曲又は湾曲させることにより形成可能な形状を有する商品支え部と、該商品支え部の一対の端部における一方の端部から連設された第１掛止部で、棒状の被掛止部材に掛止可能となっている第１掛止部と、該商品支え部の該一対の端部における他方の端部から連設された第２掛止部で、棒状の被掛止部材に掛止可能となっている第２掛止部と、を有することを特徴とする。
【０００９】
この第２の構成においては、第１掛止部を棒状の被掛止部材に掛止させ、第２掛止部を他の棒状の被掛止部材に掛止させて、該棒状部材の上に商品支え部が立設した状態とする。そして、この商品支え部に商品を立て掛けて商品を支持させる。これにより、商品を立設した状態で陳列することができ、よって、商品を識別しやすくすることができる。
【００１０】
また、第３には、商品を立て掛けた状態で支持するための商品陳列具であって、１本の棒状部材を折曲又は湾曲させることにより形成可能な形状を有する商品支え部（「１本の棒状部材を折曲又は湾曲させることにより形成可能な形状を有する商品支え部で、横方向に形成された横方向部と、該横方向部の両端から連設され、縦方向に形成された縦方向部とを有する略コ字状を呈し、縦方向の中心線を介して線対称に形成されていて、該棒状部材における一対の端部が下方を向いている商品支え部」としてもよい。また、「１本の棒状部材を折曲又は湾曲させることにより形成可能な形状を有する商品支え部で、横方向に形成された横方向部と、該横方向部の両端から連設され、縦方向に形成された縦方向部とを有する略コ字状を呈し、縦方向の中心線を介して線対称に形成されていて、該棒状部材における一対の端部のうち一方が第１掛止部側に向いており、また、他方が第２掛止部側に向いている商品支え部」としてもよい。）と、該商品支え部の一対の端部における一方の端部から連設され、１本の棒状部材を折曲又は湾曲させることにより形成可能な形状を有する第１掛止部で、棒状の被掛止部材に掛止可能となっている第１掛止部と、該商品支え部の該一対の端部における他方の端部から連設され、１本の棒状部材を折曲又は湾曲させることにより形成可能な形状を有する第２掛止部で、棒状の被掛止部材に掛止可能となっている第２掛止部と、を有し、商品陳列具は１本の棒状部材を折曲又は湾曲させることにより形成可能な形状を有していることを特徴とする。
【００１１】
この第３の構成においては、第１掛止部を棒状の被掛止部材に掛止させ、第２掛止部を他の棒状の被掛止部材に掛止させて、該棒状部材の上に商品支え部が立設した状態とする。そして、この商品支え部に商品を立て掛けて商品を支持させる。これにより、商品を立設した状態で陳列することができ、よって、商品を識別しやすくすることができる。また、商品陳列具は１本の棒状部材を折曲又は湾曲させることにより形成可能な形状を有しているので、低コストで製造することが可能となる。
【００１２】
また、第４には、上記第３の構成において、上記第１掛止部は同一平面上に形成された形状を有し、側面視において第１掛止部は商品支え部に対して鈍角をなして設けられており、また、上記第２掛止部は同一平面上に形成された形状を有し、側面視において第２掛止部は商品支え部に対して鈍角をなして設けられていることを特徴とする。これにより、商品を立て掛けるのに適した角度で商品支え部を立設させることができる。なお、該鈍角としては、１１０度〜１７０度が好ましく、さらには、１２０度〜１４０度がより好ましい。
【００１３】
また、第５には、上記第２から第４までのいずれかの構成において、上記第１掛止部が、上記商品支え部の該一対の端部における一方の端部から連設された外側湾曲部で、側方の外側に湾曲する外側湾曲部と、該外側湾曲部から連設された内側湾曲部で、側方の内側に湾曲する内側湾曲部とを有し、また、上記第２掛止部が、上記商品支え部の該一対の端部における他方の端部から連設された外側湾曲部で、側方の外側に湾曲する外側湾曲部と、該外側湾曲部から連設された内側湾曲部で、側方の内側に湾曲する内側湾曲部とを有することを特徴とする。
【００１４】
この第５の構成においては、第１掛止部と第２掛止部とが、外側湾曲部と内側湾曲部とを有する形状を有しているので、第１掛止部と第２掛止部を棒状の被掛止部材に掛止させた状態では、外側湾曲部が該被掛止部材の上面に当接した状態となり、内側湾曲部が該被掛止部材の下面に当接した状態となり、商品支え部に商品を立て掛けた状態では、外側湾曲部における当接部分を支点として内側湾曲部が被掛止部材の下面に押しつけられた状態となり、第１掛止部と第２掛止部とを確実に被掛止部材に固定させておくことができる。つまり、商品陳列具により支持される商品の重みにより、商品陳列具を被掛止部材に確実に掛止させておくことができ、これにより、商品陳列具が移動して立設状態で陳列された商品が倒れてしまうことがない。
【００１５】
また、第６には、商品を立て掛けた状態で支持するための商品陳列具であって、１本の棒状部材を折曲又は湾曲させることにより形成可能な形状を有する商品支え部で、横方向に形成された横方向部と、該横方向部の両端から連設され、縦方向に形成された縦方向部とを有する略コ字状を呈し、縦方向の中心線を介して線対称に形成されている商品支え部（「１本の棒状部材を折曲又は湾曲させることにより形成可能な形状を有する商品支え部で、横方向に形成された横方向部と、該横方向部の両端から連設され、縦方向に形成された縦方向部とを有する略コ字状を呈し、縦方向の中心線を介して線対称に形成されていて、該棒状部材における一対の端部が下方を向いている商品支え部」としてもよい。また、「１本の棒状部材を折曲又は湾曲させることにより形成可能な形状を有する商品支え部で、横方向に形成された横方向部と、該横方向部の両端から連設され、縦方向に形成された縦方向部とを有する略コ字状を呈し、縦方向の中心線を介して線対称に形成されていて、該棒状部材における一対の端部のうち一方が第１掛止部側に向いており、また、他方が第２掛止部側に向いている商品支え部」としてもよい。）と、該商品支え部の該一対の端部における一方の端部から連設され、１本の棒状部材を折曲又は湾曲させることにより形成可能な形状を有する第１掛止部で、該端部から連設された外側湾曲部で、側方の外側に湾曲する外側湾曲部と、該外側湾曲部から連設された内側湾曲部で、側方の内側に湾曲する内側湾曲部とを有し、該外側湾曲部と内側湾曲部とは同一平面上に形成された形状を有し、側面視において第１掛止部は商品支え部に対して鈍角をなして設けられた第１掛止部で、棒状の被掛止部材に掛止可能となっている第１掛止部と、該商品支え部の該一対の端部における他方の端部から連設され、１本の棒状部材を折曲又は湾曲させることにより形成可能な形状を有する第２掛止部で、該端部から連設された外側湾曲部で、側方の外側に湾曲する外側湾曲部と、該外側湾曲部から連設された内側湾曲部で、側方の内側に湾曲する内側湾曲部とを有し、該外側湾曲部と内側湾曲部とは同一平面上に形成された形状を有し、側面視において第２掛止部は商品支え部に対して鈍角をなして設けられた第２掛止部で、棒状の被掛止部材に掛止可能となっていて、該第１掛止部とは縦方向の中心線を介して対称に形成されている第２掛止部と、を有し、商品陳列具は１本の棒状部材を折曲又は湾曲させることにより形成可能な形状を有していることを特徴とする。
【００１６】
この第６の構成においては、第１掛止部を棒状の被掛止部材に掛止させ、第２掛止部を他の棒状の被掛止部材に掛止させて、該棒状部材の上に商品支え部が立設した状態とする。そして、この商品支え部に商品を立て掛けて商品を支持させる。これにより、商品を立設した状態で陳列することができ、よって、商品を識別しやすくすることができる。また、商品陳列具は１本の棒状部材を折曲又は湾曲させることにより形成可能な形状を有しているので、低コストで製造することが可能となる。また、特に、第１掛止部と第２掛止部とが、外側湾曲部と内側湾曲部とを有する形状を有しているので、第１掛止部と第２掛止部を棒状の被掛止部材に掛止させた状態では、外側湾曲部が該被掛止部材の上面に当接した状態となり、内側湾曲部が該被掛止部材の下面に当接した状態となり、商品支え部に商品を立て掛けた状態では、外側湾曲部における当接部分を支点として内側湾曲部が被掛止部材の下面に押しつけられた状態となり、第１掛止部と第２掛止部とを確実に被掛止部材に固定させておくことができる。つまり、商品陳列具により支持される商品の重みにより、商品陳列具を被掛止部材に確実に掛止させておくことができ、これにより、商品陳列具が移動して立設状態で陳列された商品が倒れてしまうことがない。また、側面視において第１掛止部と第２掛止部は商品支え部に対して鈍角をなして設けられているので、商品を立て掛けるのに適した角度で商品支え部を立設させることができる。なお、該鈍角としては、１１０度〜１７０度が好ましく、さらには、１２０度〜１４０度がより好ましい。
【００１７】
また、第７には、上記第１から第６までのいずれかの構成において、上記各掛止部が、略円弧状又は略Ｕ字状又は略半楕円状又は略放物線状を呈することを特徴とする。これにより、棒状の被掛止部材に掛止させることができ、商品支え部に商品を立て掛けた場合に、商品の重みにより掛止部を確実に被掛止部材に固定させることが可能となる。
【００１８】
また、第８には、商品を立て掛けた状態で支持するための商品陳列具であって、１本の棒状部材を折曲又は湾曲させることにより形成可能な形状を有する商品支え部（「１本の棒状部材を折曲又は湾曲させることにより形成可能な形状を有する商品支え部で、横方向に形成された横方向部と、該横方向部の両端から連設され、縦方向に形成された縦方向部とを有する略コ字状を呈し、縦方向の中心線を介して線対称に形成されていて、該棒状部材における一対の端部が下方を向いている商品支え部」としてもよい。また、「１本の棒状部材を折曲又は湾曲させることにより形成可能な形状を有する商品支え部で、横方向に形成された横方向部と、該横方向部の両端から連設され、縦方向に形成された縦方向部とを有する略コ字状を呈し、縦方向の中心線を介して線対称に形成されていて、該棒状部材における一対の端部のうち一方が第１掛止部側に向いており、また、他方が第２掛止部側に向いている商品支え部」としてもよい。）と、該商品支え部の一対の端部における一方の端部に設けられた第１掛止部で、棒状の被掛止部材に該商品陳列具を取り付けた際に、該被掛止部材に当接する第１脚部と、棒状の被掛止部材に該商品陳列具を取り付けた際に、該被掛止部材に掛止可能となっている第２脚部と、を有する第１掛止部と、該商品支え部の一対の端部における他方の端部に設けられた第２掛止部で、棒状の被掛止部材に該商品陳列具を取り付けた際に、該被掛止部材に当接する第３脚部と、棒状の被掛止部材に該商品陳列具を取り付けた際に、該被掛止部材に掛止可能となっている第４脚部と、を有する第２掛止部と、を有することを特徴とする。
【００１９】
この第８の構成においては、第１掛止部を棒状の被掛止部材に掛止させ、第２掛止部を他の棒状の被掛止部材に掛止させて、該棒状部材の上に商品支え部が立設した状態とする。そして、この商品支え部に商品を立て掛けて商品を支持させる。これにより、商品を立設した状態で陳列することができ、よって、商品を識別しやすくすることができる。特に、第１掛止部は、第１脚部と第２脚部とを有し、また、第２掛止部は、第３脚部と第４脚部とを有するので、第１脚部が被掛止部材の上面に当接した状態で第２脚部を被掛止部材に掛止させ、また、第３脚部が被掛止部材の上面に当接した状態で第４脚部を被掛止部材に掛止させることにより、第１掛止部と第２掛止部とを確実に掛止させることが可能となり、特に、商品支え部に商品を立て掛けた状態では、第１脚部の当接部分を支点として第２脚部が被掛止部材の下面に押しつけられた状態とし、また、第３脚部の当接部分を支点として第４脚部が被掛止部材の下面に押しつけられた状態とすることができるので、第１掛止部と第２掛止部とを確実に被掛止部材に固定させておくことができる。つまり、商品陳列具により支持される商品の重みにより、商品陳列具を被掛止部材に確実に掛止させておくことができ、これにより、商品陳列具が移動して立設状態で陳列された商品が倒れてしまうことがない。
【００２０】
また、第９には、上記第８の構成において、上記第１脚部と上記第２脚部と上記第３脚部と上記第４脚部とは、略Ｌ字状を呈することを特徴とする。
【００２１】
また、第１０には、商品を立て掛けた状態で支持するための商品陳列具であって、１本の棒状部材を折曲又は湾曲させることにより形成可能な形状を有する商品支え部で、横方向に形成された横方向部と、該横方向部の両端から連設され、縦方向に形成された縦方向部とを有する略コ字状を呈し、縦方向の中心線を介して線対称に形成されている商品支え部（「１本の棒状部材を折曲又は湾曲させることにより形成可能な形状を有する商品支え部で、横方向に形成された横方向部と、該横方向部の両端から連設され、縦方向に形成された縦方向部とを有する略コ字状を呈し、縦方向の中心線を介して線対称に形成されていて、該棒状部材における一対の端部が下方を向いている商品支え部」としてもよい。また、「１本の棒状部材を折曲又は湾曲させることにより形成可能な形状を有する商品支え部で、横方向に形成された横方向部と、該横方向部の両端から連設され、縦方向に形成された縦方向部とを有する略コ字状を呈し、縦方向の中心線を介して線対称に形成されていて、該棒状部材における一対の端部のうち一方が第１掛止部側に向いており、また、他方が第２掛止部側に向いている商品支え部」としてもよい。）と、該商品支え部の該一対の縦方向部における一方の縦方向部の端部に設けられた第１掛止部で、略Ｌ字状を呈する第１脚部と、略Ｌ字状を呈する第２脚部と、を有する第１掛止部と、該商品支え部の該一対の縦方向部における他方の縦方向部の端部に設けられた第２掛止部で、略Ｌ字状を呈する第３脚部と、略Ｌ字状を呈する第４脚部と、を有する第２掛止部と、を有することを特徴とする。
【００２２】
この第１０の構成においては、第１掛止部を棒状の被掛止部材に掛止させ、第２掛止部を他の棒状の被掛止部材に掛止させて、該棒状部材の上に商品支え部が立設した状態とする。そして、この商品支え部に商品を立て掛けて商品を支持させる。これにより、商品を立設した状態で陳列することができ、よって、商品を識別しやすくすることができる。特に、第１掛止部は、第１脚部と第２脚部とを有し、また、第２掛止部は、第３脚部と第４脚部とを有するので、第１脚部が被掛止部材の上面に当接した状態で第２脚部を被掛止部材に掛止させ、また、第３脚部が被掛止部材の上面に当接した状態で第４脚部を被掛止部材に掛止させることにより、第１掛止部と第２掛止部とを確実に掛止させることが可能となり、特に、商品支え部に商品を立て掛けた状態では、第１脚部の当接部分を支点として第２脚部が被掛止部材の下面に押しつけられた状態とし、また、第３脚部の当接部分を支点として第４脚部が被掛止部材の下面に押しつけられた状態とすることができるので、第１掛止部と第２掛止部とを確実に被掛止部材に固定させておくことができる。つまり、商品陳列具により支持される商品の重みにより、商品陳列具を被掛止部材に確実に掛止させておくことができ、これにより、商品陳列具が移動して立設状態で陳列された商品が倒れてしまうことがない。
【００２３】
また、第１１には、上記第８から第１０までのいずれかの構成において、第１脚部における先端部分と、第２脚部における先端部分と、第３脚部における先端部分と、第４脚部における先端部分とは、上記縦方向部に対して直角の方向に設けられ、第１脚部における先端部分と第３脚部における先端部分とは互いに対向し、また、第２脚部における先端部分と第４脚部における先端部分とは互いに対向していることを特徴とする。
【００２４】
また、第１２には、上記第８から第１１までのいずれかの構成において、上記第１脚部は、棒状を呈する第１棒状部と、該第１棒状部に直角方向に設けられ、棒状を呈する第２棒状部とで略Ｌ字状に形成され、該第１棒状部と上記一方の縦方向部とは１本の直線状の棒状部材により形成され、また、上記第２脚部は、棒状を呈する第１棒状部と、該第１棒状部に直角方向に設けられ、棒状を呈する第２棒状部とで略Ｌ字状に形成され、該第２脚部における第１棒状部は、該一方の縦方向部又は第１脚部における第１棒状部に固着され、また、上記第３脚部は、棒状を呈する第１棒状部と、該第１棒状部に直角方向に設けられ、棒状を呈する第２棒状部とで略Ｌ字状に形成され、該第１棒状部と上記他方の縦方向部とは１本の直線状の棒状部材により形成され、また、上記第４脚部は、棒状を呈する第１棒状部と、該第１棒状部に直角方向に設けられ、棒状を呈する第２棒状部とで略Ｌ字状に形成され、該第４脚部における第１棒状部は、該他方の縦方向部又は第３脚部における第１棒状部に固着されていることを特徴とする。
【００２５】
また、第１３には、上記第１から第１２までのいずれかの構成において、上記各掛止部を棒状の被掛止部材に掛止した状態では、該掛止部の一部が被掛止部材の上面に当接し、該掛止部の他の一部が被掛止部材の下面に当接することを特徴とする。これにより、商品支え部に商品を立て掛けた状態では、被掛止部材の上面に当接した部分を支点として被掛止部材の下面に当接した部分が被掛止部材の下面に押しつけられた状態とすることができるので、第１掛止部と第２掛止部とを確実に被掛止部材に固定させておくことができる。つまり、商品陳列具により支持される商品の重みにより、商品陳列具を被掛止部材に確実に掛止させておくことができ、これにより、商品陳列具が移動して立設状態で陳列された商品が倒れてしまうことがない。
【００２６】
また、第１４には、上記第１から第１３までのいずれかの構成において、上記各掛止部を棒状の被掛止部材に掛止し、商品支え部に商品を立て掛けた状態では、該掛止部の一部が被掛止部材の上面に当接し、この被掛止部材の上面に当接した部分が支点となって、該掛止部の他の一部が被掛止部材の下面に押しつけられて当接することを特徴とする。これにより、商品陳列具により支持される商品の重みにより、商品陳列具を被掛止部材に確実に掛止させておくことができ、これにより、商品陳列具が移動して立設状態で陳列された商品が倒れてしまうことがない。
【００２７】
また、第１５には、上記第１から第１４までのいずれかの構成において、商品陳列具が可撓性のある素材により形成されていることを特徴とする。これにより、被掛止部材への掛止を確実にすることができるとともに、被掛止部材間の幅が異なる場合でも商品陳列具を装着することが可能となる。
【００２８】
また、第１６には、上記第１から第１５までのいずれかの構成において、上記商品支え部が、縦方向の中心線を介して対称に形成されていることを特徴とする。
【００２９】
【発明の実施の形態】
本発明の実施の形態としての実施例を図面を利用して説明する。第１実施例の商品陳列具Ａ１は、図１〜図６に示すように、商品支え部１０と、掛止部（第１掛止部）２０と、掛止部（第２掛止部）３０とを有している。
【００３０】
ここで、商品支え部１０は、その使用状態において、商品を立設した状態で支える部材であり、全体に略コ字状（「コ字状」としてもよい）の棒状を呈し、横方向部１２と、縦方向部１４、１６とを有している。
【００３１】
横方向部１２は、Ｘ方向に略直線状（「直線状」としてもよい）に伸びた棒状を呈している。また、縦方向部１４は、横方向部１２の一方の端部から連設されていて、Ｙ方向（Ｙ方向は、Ｘ方向に直角の方向）に略直線状（「直線状」としてもよい）伸びた棒状を呈している。また、縦方向部１６は、横方向部１２の他方の端部から連設されていて、Ｙ方向に略直線状（「直線状」としてもよい）に伸びた棒状を呈している。なお、横方向部１２と縦方向部１４、１６との境界部分には、アールが形成されている。つまり、丸みをもって接続されている。この縦方向部１４と縦方向部１６とは互いに平行に設けられているが、掛止部２０、３０側に向けて間隔が大きくなるように形成してもよい。
【００３２】
この商品支え部１０は、左右対称、すなわち、Ｙ方向の中心線Ｊを介して線対称の形状に形成されている。なお、商品支え部１０は、上記のような形状に形成されているので、横方向部１２と縦方向部１４、１６とは、同一平面上に形成されているといえる。なお、上記の説明では、商品支え部１０は略コ字状であるとして説明したが、これには限られず、１本の棒状部材を折曲又は湾曲させることにより形成されたもので、左右対称であればよい。なお、厳密には、左右対称である必要もない。
【００３３】
次に、掛止部２０、３０について説明する。まず、掛止部２０について説明する。掛止部２０は、該商品支え部１０の外側（つまり、Ｘ方向の外側、例えば、図２では左側）に突出しており、略円弧状（「円弧状」としてもよい）に湾曲した形状を呈している。すなわち、掛止部２０は、縦方向部１４の端部（すなわち、商品支え部１０の一対の端部における一方の端部）から外側（つまり、縦方向の中心線Ｊから遠い方が外側となる）に湾曲しながら突出する形状を有する外側湾曲部２２と、該外側湾曲部２２の端部から内側に湾曲しながら戻る形状を有する内側湾曲部２４とを有していて、掛止部２０は、全体としては、縦方向部１４の端部から一旦外側に湾曲して突出した後内側に湾曲しながら戻る形状を呈している。掛止部２０がこのような形状を呈していることにより、棒状の部材で掛止できるようになっている。なお、この掛止部２０と縦方向部１４との境界部分にはアールが形成されている。つまり、丸みをもって接続されている。なお、掛止部２０は、図５に示すように、同一平面上に形成されていて、左側面視における商品支え部１０と掛止部２０とのなす角度αは、鈍角（具体的には、１３０度）となっている。
【００３４】
また、掛止部３０は、掛止部２０に対して対称の形状を呈していて、該商品支え部１０の外側（つまり、Ｘ方向の外側、例えば、図２では右側）に突出しており、略円弧状（「円弧状」としてもよい）に湾曲した形状を呈している。すなわち、掛止部３０は、縦方向部１６の端部（すなわち、商品支え部１０の一対の端部における他方の端部）から外側に湾曲しながら突出する形状を有する外側湾曲部３２と、該外側湾曲部３２の端部から内側に湾曲しながら戻る形状を有する内側湾曲部３４とを有していて、掛止部３０は、全体としては、縦方向部１６の端部から一旦外側に湾曲して突出した後内側に湾曲しながら戻る形状を呈している。掛止部３０がこのような形状を呈していることにより、棒状の部材で掛止できるようになっている。なお、この掛止部３０と縦方向部１６との境界部分にはアールが形成されている。つまり、丸みをもって接続されている。なお、掛止部３０は、図４に示すように、同一平面上に形成されていて、右側面視における商品支え部１０と掛止部３０とのなす角度βは、鈍角（具体的には、１３０度）となっている。
【００３５】
商品陳列具Ａ１は上記のように形成されているので、全体に左右対称、つまり、中心線Ｊを介して対称であるといえる。
【００３６】
なお、上記の説明では、掛止部２０、３０は、略円弧状であるとしたが、略Ｕ字状（「Ｕ字状」としてもよい）又は略半楕円状（「半楕円状」としてもよい）又は略放物線状（「放物線状」としてもよい）としてもよい。また、掛止部２０、３０と商品支え部１０とのなす角度は、１３０度であるとしたが、これには限られず、１１０度〜１７０度でもよい。ただし、１２０度〜１４０度が好ましく、さらには、１２５度〜１３５度がより好ましい。
【００３７】
なお、商品陳列具Ａ１は、１本の棒状部材を折曲又は湾曲することにより形成されていて、全体に一体に形成されている。また、この商品陳列具Ａ１は、ステンレスにより形成されているが、他の可撓性のある部材により形成してもよい。例えば、他の金属（例えば、鉄）又は合成樹脂等により形成してもよい。
【００３８】
上記構成の商品陳列具Ａ１の使用状態について図７〜図９等を使用して説明する。この商品陳列具Ａ１は、冷蔵ケースや冷凍ケースにおける棚に掛止して使用する。すなわち、図７に示すように、棚部Ｔを構成する棒状部（棒状の被掛止部材）ｔ１０〜ｔ１４等に掛止させて固定する。具体的には、商品陳列具Ａ１を固定させるのに適した２つの棒状部を選択して、その２つの棒状部に掛止させる。つまり、横方向部１２の長さよりも若干大きい間隔を介して設けられた２つの棒状部を選択して掛止させる。その際、掛止部２０と掛止部３０との間隔を一旦広くした後に当初の間隔に復帰させて棒状部に固着する。商品陳列具Ａ１は可撓性のある素材により形成されているので、これにより確実に棚部に固定することが可能となる。図７の例では、掛止部２０を棒状部ｔ１１に掛止させるとともに、掛止部３０を棒状部ｔ１３に掛止させることにより、商品陳列具Ａ１を棚部Ｔに固定させる。すると、掛止部２０における外側湾曲部２２は、棒状部ｔ１１の上面に当接し、内側湾曲部２４は、棒状部ｔ１１の下面に当接する。同様に、掛止部３０における外側湾曲部３２は、棒状部ｔ１３の上面に当接し、内側湾曲部３４は、棒状部ｔ１３の下面に当接する。
【００３９】
その後、図７に示すように、この商品支え部１０に商品Ｓを立て掛けるようにして立設させる。図７の例では、商品Ｓは１つのみ図示されているが、複数の商品を陳列する場合には、商品陳列具Ａ１の手前側に奥行き方向に並べて立設させる。つまり、最も奥の商品は商品陳列具Ａ１に支持された状態で立設し、その手前の商品は該商品陳列具Ａ１に支持された商品に立て掛けて立設させ、その手前の商品も順次奥側の商品に立て掛けた状態で立設させる。なお、陳列する商品が多くある場合には、商品陳列具Ａ１の取付け位置をもっと奥側にする。
【００４０】
上記構成の商品陳列具Ａ１においては、商品を立設した状態で陳列することができるので、商品を見やすくすることができ、商品を識別しやすくすることができる。
【００４１】
また、商品を商品支え部１０に立て掛けた状態では、商品の自重により商品陳列具Ａ１が棚部の取付け位置に確実に固定されるので、立設状態の商品が倒れてしまうことがない。つまり、商品を商品支え部１０に立て掛けた状態では、商品支え部１０が背面側に押されることから、これにより、掛止部２０、３０が確実に棚部を構成する棒状部に固定される。つまり、図７、図８の例では、掛止部２０における外側湾曲部２２が棒状部ｔ１１の上面に押しつけられた状態で当接し、内側湾曲部２４は棒状部ｔ１１の下面に押しつけられた状態で当接して、掛止部２０は確実に棒状部に固定される。特に、外側湾曲部２２における棒状部ｔ１１との当接部分が支点となって、内側湾曲部２４が棒状部ｔ１１の下面に押しつけられる状態となって、掛止部２０は確実に棒状部に固定される。同様に、掛止部３０における外側湾曲部３２が棒状部ｔ１３の上面に押しつけられた状態で当接し、内側湾曲部３４は棒状部ｔ１３の下面に押しつけられた状態で当接して、掛止部３０は確実に棒状部に固定される。特に、外側湾曲部３２における棒状部ｔ１３との当接部分が支点となって、内側湾曲部３４が棒状部ｔ１３の下面に押しつけられる状態となって、掛止部３０は確実に棒状部に固定される。以上のようにして、商品陳列具Ａ１が棚部の取付け位置に確実に固定されるので、冷凍ケースの場合のように商品や棚自体の表面に氷が付着して滑りやすくなっていても、商品陳列具Ａ１がスライドしてしまうことがない。
【００４２】
また、商品陳列具Ａ１の取付け位置を前後にずらす場合には、商品陳列具Ａ１を手前側に傾斜させて掛止部２０、３０の掛止を緩めた後にずらせばよいので、容易にずらすことが可能となる。
【００４３】
また、商品陳列具Ａ１は可撓性のある素材により形成されていて、掛止部２０と掛止部３０間の間隔も調整可能であるので、異なる規格の棚部にも適用することが可能となる。
【００４４】
次に、第２実施例について説明する。この第２実施例の商品陳列具Ａ２は、上記第１実施例の商品陳列具Ａ１と略同様の構成であるが、掛止部の構成が異なる。
【００４５】
すなわち、第２実施例の商品陳列具Ａ２は、図１０〜図１２に示すように、商品支え部１１０と、掛止部（第１掛止部）１２０と、掛止部（第２掛止部）１４０とを有している。
【００４６】
ここで、商品支え部１１０は、第１実施例における商品支え部１０と同様の構成である。すなわち、商品支え部１１０は、その使用状態において、商品を立設した状態で支える部材であり、全体に略コ字状（「コ字状」としてもよい）の棒状を呈し、横方向部１１２と、縦方向部１１４、１１６とを有している。
【００４７】
横方向部１１２は、Ｘ方向に略直線状（「直線状」としてもよい）に伸びた棒状を呈している。また、縦方向部１１４は、横方向部１１２の一方の端部から連設されていて、Ｙ方向（Ｙ方向は、Ｘ方向に直角の方向）に略直線状（「直線状」としてもよい）伸びた棒状を呈している。また、縦方向部１１６は、横方向部１１２の他方の端部から連設されていて、Ｙ方向に略直線状（「直線状」としてもよい）に伸びた棒状を呈している。なお、横方向部１１２と縦方向部１１４、１１６との境界部分には、アールが形成されている。つまり、丸みをもって接続されている。この縦方向部１１４と縦方向部１１６とは互いに平行に設けられているが、掛止部１２０、１４０側に向けて間隔が大きくなるように形成してもよい。
【００４８】
この商品支え部１１０は、左右対称、すなわち、Ｙ方向の中心線を介して線対称の形状に形成されている。なお、商品支え部１１０は、上記のような形状に形成されているので、横方向部１１２と縦方向部１１４、１１６とは、同一平面上に形成されているといえる。なお、上記の説明では、商品支え部１１０は略コ字状であるとして説明したが、これには限られず、１本の棒状部材を折曲又は湾曲させることにより形成されたもので、左右対称であればよい。なお、厳密には、左右対称である必要もない。
【００４９】
次に、掛止部１２０、１４０について説明する。掛止部１２０は、脚部（第１脚部）１２２と脚部（第２脚部）１３０とを有している。ここで、脚部１２２は、略Ｌ字状（「Ｌ字状」としてもよい）を呈し、縦方向部（第１棒状部）１２４と、横方向部（第２棒状部）１２６とを有している。この縦方向部１２４は、縦方向部１１４の下端から連設されていて、略直線状（「直線状」としてもよい）に伸びた棒状を呈している。なお、縦方向部１１４と縦方向部１２４とは１本の棒状に形成されていて、この１本の棒状の部材において上端から接続部１３２の上端までの部分が縦方向部１１４であり、接続部１３２の上端位置から下端までの部分が縦方向部１２４であるといえる。なお、接続部１３２と縦方向部１３４の境界位置の高さの位置を縦方向部１１４と縦方向部１２４の境界位置としてもよい。また、横方向部１２６は、縦方向部１２４の端部から連設されていて、縦方向部１２４に対して直角の方向（具体的には、Ｘ方向）に略直線状（「直線状」としてもよい）に伸びた棒状を呈している。
【００５０】
また、脚部１３０は、略Ｌ字状（「Ｌ字状」としてもよい）を呈し、接続部１３２と、縦方向部（第１棒状部）１３４と、横方向部（第２棒状部）１３６とを有している。この接続部１３２は、略直線状（「直線状」としてもよい）の棒状を呈し、縦方向部１２４の側面に縦方向部１２４に沿って溶接等により固着されている。また、縦方向部１３４は、該接続部１３２の端部から連設されていて、略直線状（「直線状」としてもよい）に伸びた棒状を呈している。この縦方向部１３４は、接続部１３２に対して所定角度（具体的には、鈍角）をなしている。また、横方向部１３６は、縦方向部１３４の端部から連設されていて、縦方向部１３４に対して直角の方向（具体的には、Ｘ方向）に略直線状（「直線状」としてもよい）に伸びた棒状を呈している。以上のように、掛止部１２０は、略Ｌ字状の部材を一対有した構成となっていて、略Ｌ字状の先端部分は内側を向いている。
【００５１】
また、掛止部１４０は、脚部（第３脚部）１４２と脚部（第４脚部）１５０とを有している。ここで、脚部１４２は、略Ｌ字状（「Ｌ字状」としてもよい）を呈し、縦方向部（第１棒状部）１４４と、横方向部（第２棒状部）１４６とを有している。この縦方向部１４４は、縦方向部１１６の下端から連設されていて、略直線状（「直線状」としてもよい）に伸びた棒状を呈している。なお、縦方向部１１６と縦方向部１４４とは１本の棒状に形成されていて、この１本の棒状の部材において上端から接続部１５２の上端までの部分が縦方向部１１６であり、接続部１５２の上端位置から下端までの部分が縦方向部１４４であるといえる。なお、接続部１５２と縦方向部１５４の境界位置の高さの位置を縦方向部１１６と縦方向部１４４の境界位置としてもよい。また、横方向部１４６は、縦方向部１４４の端部から連設されていて、縦方向部１４４に対して直角の方向（具体的には、Ｘ方向）に略直線状（「直線状」としてもよい）に伸びた棒状を呈している。
【００５２】
また、脚部１５０は、略Ｌ字状（「Ｌ字状」としてもよい）を呈し、接続部１５２と、縦方向部（第１棒状部）１５４と、横方向部（第２棒状部）１５６とを有している。この接続部１５２は、略直線状（「直線状」としてもよい）の棒状を呈し、縦方向部１４４の側面に縦方向部１４４に沿って溶接等により固着されている。また、縦方向部１５４は、該接続部１５２の端部から連設されていて、略直線状（「直線状」としてもよい）に伸びた棒状を呈している。この縦方向部１５４は、接続部１５２に対して所定角度（具体的には、鈍角）をなしている。また、横方向部１５６は、縦方向部１５４の端部から連設されていて、縦方向部１５４に対して直角の方向（具体的には、Ｘ方向）に略直線状（「直線状」としてもよい）に伸びた棒状を呈している。以上のように、掛止部１４０は、略Ｌ字状の部材を一対有した構成となっていて、略Ｌ字状の先端部分は内側を向いている。
【００５３】
なお、横方向部１２６、１３６、１４６、１５６は、ともに、横方向部１１２と平行で、縦方向部１１４、１１６と直角の方向に設けられていて、横方向部１２６と横方向部１３６とは互いに平行であり、横方向部１４６と横方向部１５６は互いに平行であり、また、横方向部１２６と横方向部１４６とは互いに対向していて、横方向部１３６と横方向部１５６とは互いに対向している。以上のように、掛止部１４０は、略Ｌ字状の部材を一対有した構成となっている。
【００５４】
なお、該商品支え部１１０と脚部１２２と脚部１４２とは、全体に１本の棒状部材を折曲又は湾曲することにより形成されていて、全体に一体に形成されている。つまり、１本の棒状部材を折曲又は湾曲することにより、該商品支え部１１０と脚部１２２と脚部１４２とが一体に形成されている。また、脚部１３０は、１本の棒状部材を折曲又は湾曲することにより形成されていて、全体に一体に形成されている。また、脚部１５０は、１本の棒状部材を折曲又は湾曲することにより形成されていて、全体に一体に形成されている。
【００５５】
また、この商品陳列具Ａ２は、ステンレスにより形成されているが、他の可撓性のある部材により形成してもよい。例えば、他の金属（例えば、鉄）又は合成樹脂等により形成してもよい。
【００５６】
上記構成の商品陳列具Ａ２の使用状態について図１１、図１２等を使用して説明する。この商品陳列具Ａ２は、上記第１実施例の商品陳列具Ａ１と同様に、冷蔵ケースや冷凍ケースにおける棚に掛止して使用する。すなわち、図１１に示すように、棚部Ｔを構成する棒状部（棒状の被掛止部材）ｔ１０〜ｔ１４等に掛止させて固定する。具体的には、商品陳列具Ａ２を固定させるのに適した２つの棒状部を選択して、その２つの棒状部に掛止させる。つまり、横方向部１１２の長さよりも若干大きい間隔を介して設けられた２つの棒状部を選択して掛止させる。商品陳列具Ａ２は可撓性のある素材により形成されているので、これにより確実に棚部に固定することが可能となる。図１１の例では、掛止部１２０を棒状部ｔ１１に掛止させるとともに、掛止部１４０を棒状部ｔ１３に掛止させることにより、商品陳列具Ａ２を棚部Ｔに固定させる。掛止部１２０、１４０を掛止させる際には、各掛止部において一方の脚部を棒状部の上面に当接させ、他方の脚部を棒状部の下面に当接させることにより棒状部に掛止させる。つまり、掛止部１２０においては、脚部１２２の横方向部１２６を棒状部ｔ１１の上面に当接させ、脚部１３０の横方向部１３６を棒状部ｔ１１の下面に当接させるとともに、掛止部１４０においては、脚部１４２の横方向部１４６を棒状部ｔ１３の上面に当接させ、脚部１５０の横方向部１５６を棒状部ｔ１３の下面に当接させることにより、商品陳列具Ａ２を棒状部ｔ１１と棒状部ｔ１３に掛止させる。
【００５７】
その後、図１１に示すように、この商品支え部１１０に商品Ｓを立て掛けるようにして立設させる。図１１の例では、商品Ｓは１つのみ図示されているが、複数の商品を陳列する場合には、商品陳列具Ａ２の手前側に奥行き方向に並べて立設させる。つまり、最も奥の商品は商品陳列具Ａ２に支持された状態で立設し、その手前の商品は該商品陳列具Ａ２に支持された商品に立て掛けて立設させ、その手前の商品も順次奥側の商品に立て掛けた状態で立設させる。なお、陳列する商品が多くある場合には、商品陳列具Ａ２の取付け位置をもっと奥側にする。
【００５８】
上記構成の商品陳列具Ａ２においては、商品を立設した状態で陳列することができるので、商品を見やすくすることができ、商品を識別しやすくすることができる。
【００５９】
また、商品を商品支え部１１０に立て掛けた状態では、商品の自重により商品陳列具Ａ２が棚部の取付け位置に確実に固定されるので、立設状態の商品が倒れてしまうことがない。つまり、商品を商品支え部１１０に立て掛けた状態では、商品支え部１１０が背面側に押されることから、これにより、掛止部１２０、１４０が確実に棚部を構成する棒状部に固定される。つまり、図１１、図１２の例では、掛止部１２０においては、掛止部１２０における横方向部１２６が棒状部ｔ１１の上面に押しつけられた状態で当接し、横方向部１３６は棒状部ｔ１１の下面に押しつけられた状態で当接して、横方向部１２６と横方向部１３６により棒状部ｔ１１を挟むようにして、掛止部１２０は確実に棒状部に固定されるとともに、掛止部１４０においては、掛止部１４０における横方向部１４６が棒状部ｔ１３の上面に押しつけられた状態で当接し、横方向部１５６は棒状部ｔ１３の下面に押しつけられた状態で当接して、横方向部１４６と横方向部１５６により棒状部ｔ１３を挟むようにして、掛止部１４０は確実に棒状部に固定される。特に、横方向部１２６が支点となって、横方向部１３６が棒状部ｔ１１の下面に押しつけられる状態となって、掛止部１２０は確実に棒状部に固定されるとともに、横方向部１４６が支点となって、横方向部１５６が棒状部ｔ１３の下面に押しつけられる状態となって、掛止部１４０は確実に棒状部に固定される。
【００６０】
以上のようにして、商品陳列具Ａ２が棚部の取付け位置に確実に固定されるので、冷凍ケースの場合のように商品や棚自体の表面に氷が付着して滑りやすくなっていても、商品陳列具Ａ２がスライドしてしまうことがない。
【００６１】
また、商品陳列具Ａ２の取付け位置を前後にずらす場合には、商品陳列具Ａ２を手前側に傾斜させて掛止部１２０、１４０の掛止を緩めた後にずらせばよいので、容易にずらすことが可能となる。
【００６２】
また、商品陳列具Ａ２は可撓性のある素材により形成されていて、掛止部１２０と掛止部１４０間の間隔が調整可能であるので、異なる規格の棚部にも適用することが可能となる。
【００６３】
なお、上記の第２実施例においては、脚部１３０は脚部１２２の手前側に設けられ、脚部１５０は脚部１４２の手前側に設けられているものとして説明したが、奥側に設けられているものとしてもよい。つまり、脚部１３０は脚部１２２の奥側に設けられ、脚部１５０は脚部１４２の奥側に設けられているものとしてもよい。
【００６４】
なお、上記第１実施例、第２実施例ともに、商品陳列具Ａ１、Ａ２は、棒状部が平行に配設された棚部に使用する場合を例に取って説明したが、棒状部が網目状に配設された棚部に使用することも可能である。つまり、網目状に配設された棒状部のうち平行に配設されている棒状部（棒状の被掛止部材）間に掛止部を掛止させればよい。
【００６５】
また、上記の説明においては、掛止部２０、３０、１２０、１４０は、ともに外側に突出した形状となっているが、これとは逆に内側に突出した形状としてもよい。例えば、上記の第１実施例では、掛止部の開口部分が互いに内側に向く形となっているが、掛止部の開口部分が互いに外側を向く形とする。つまり、縦方向部１４の下端に、内側に湾曲する内側湾曲部を連設させ、該内側湾曲部の端部に外側に湾曲する外側湾曲部を連設させる。縦方向部１６においても同様に、縦方向部１６の下端に、内側に湾曲する内側湾曲部を連設させ、該内側湾曲部の端部に外側に湾曲する外側湾曲部を連設させる。この例では、棚部に装着する際には、掛止部間の間隔を一旦狭くした後に該間隔を復帰させることにより棒状部間に装着することになる。また、第２実施例においても、各脚部における横方向部は内側を向いているが、外側を向くようにすることも考えられる。
【００６６】
【発明の効果】
本発明に基づく商品陳列具によれば、商品を立設した状態で陳列することができ、よって、商品を識別しやすくすることができる。また、特に、各掛止部が外側湾曲部と内側湾曲部とを有する形状を有している場合には、各掛止部を棒状の被掛止部材に掛止させた状態では、外側湾曲部が該被掛止部材の上面に当接した状態となり、内側湾曲部が該被掛止部材の下面に当接した状態となり、商品支え部に商品を立て掛けた状態では、外側湾曲部における当接部分を支点として内側湾曲部が被掛止部材の下面に押しつけられた状態となり、各掛止部を確実に被掛止部材に固定させておくことができる。つまり、商品陳列具により支持される商品の重みにより、商品陳列具を被掛止部材に確実に掛止させておくことができ、これにより、商品陳列具が移動して立設状態で陳列された商品が倒れてしまうことがない。また、側面視において各掛止部が商品支え部に対して鈍角をなして設けられている場合には、商品を立て掛けるのに適した角度で商品支え部を立設させることができる。
【００６７】
また、第１掛止部が第１脚部と第２脚部とを有し、第２掛止部が第３脚部と第４脚部とを有する場合には、第１脚部が被掛止部材の上面に当接した状態で第２脚部を被掛止部材に掛止させ、また、第３脚部が被掛止部材の上面に当接した状態で第４脚部を被掛止部材に掛止させることにより、第１掛止部と第２掛止部とを確実に掛止させることが可能となり、特に、商品支え部に商品を立て掛けた状態では、第１脚部の当接部分を支点として第２脚部が被掛止部材の下面に押しつけられた状態とし、また、第３脚部の当接部分を支点として第４脚部が被掛止部材の下面に押しつけられた状態とすることができるので、第１掛止部と第２掛止部とを確実に被掛止部材に固定させておくことができる。つまり、商品陳列具により支持される商品の重みにより、商品陳列具を被掛止部材に確実に掛止させておくことができ、これにより、商品陳列具が移動して立設状態で陳列された商品が倒れてしまうことがない。
【００６８】
また、特に、商品陳列具は１本の棒状部材を折曲又は湾曲させることにより形成可能な形状を有している場合には、低コストで製造することが可能となる。
【図面の簡単な説明】
【図１】本発明の第１実施例に基づく商品陳列具を示す斜視図である。
【図２】本発明の第１実施例に基づく商品陳列具を示す正面図である。
【図３】本発明の第１実施例に基づく商品陳列具を示す背面図である。
【図４】本発明の第１実施例に基づく商品陳列具を示す右側面図である。
【図５】本発明の第１実施例に基づく商品陳列具を示す左側面図である。
【図６】本発明の第１実施例に基づく商品陳列具を示す図であり、（ａ）はその平面図であり、（ｂ）はその底面図である。
【図７】本発明の第１実施例に基づく商品陳列具の使用状態を示す説明図である。
【図８】図７におけるＰ−Ｐ要部断面図である。
【図９】本発明の第１実施例に基づく商品陳列具の使用状態を示す説明図である。
【図１０】本発明の第２実施例に基づく商品陳列具を示す斜視図である。
【図１１】本発明の第２実施例に基づく商品陳列具の使用状態を示す説明図である。
【図１２】図１１におけるＱ−Ｑ要部断面図である。
【符号の説明】
Ａ１、Ａ２  商品陳列具
１０、１１０  商品支え部
１２、１１２、１２６、１３６、１４６、１５６  横方向部
１４、１６、１１４、１１６、１２４、１３４、１４４、１５４  縦方向部
２０、３０、１２０、１４０  掛止部
２２、３２  外側湾曲部
２４、３４  内側湾曲部
１２２、１３０、１４２、１５０  脚部
ｔ１０〜ｔ１４  棒状部
【図１】
2004290401.tif 000003
【図２】
2004290401.tif 000004
【図３】
2004290401.tif 000005
【図４】
2004290401.tif 000006
【図５】
2004290401.tif 000007
【図６】
2004290401.tif 000008
【図７】
2004290401.tif 000009
【図８】
2004290401.tif 000010
【図９】
2004290401.tif 000011
【図１０】
2004290401.tif 000012
【図１１】
2004290401.tif 000013
【図１２】
2004290401.tif 000014